(57)【要約】【課題】  浴室用３６０度回転シートの提供。【解決手段】  下固定シートと上回転シートの間に底盤、ビーズ盤及び回転盤が取り付けられてなり、ビーズ盤に設けられた複数のステンレスビーズの、底盤、回転盤の大小の円形軌道内での回転を利用し、行動に不自由のある人がシートの上に座って、左右に身体をねじるだけで、身体を回転させることができ、家族或いは介護者が沐浴を補助するのに便利であり、更に、回転シートと固定シートが防水止滑シートで被覆され、座る時に快適で且つ止滑可能で、上面、下面のいずれも使用でき、使用に便利で使用時に簡単に使用でき、力が要らず、安全性に優れている。【選択図】        図２
0003109449.tif 000002
【実用新案登録請求の範囲】
【請求項１】
固定シート、底盤、ビーズ盤、回転盤、回転シート及び二つの止滑シートを具え、
該固定シートは中央に円形の凸塊と穿孔を具え、
該底盤は、その中心孔が固定シートの凸塊に嵌合されて位置決めされ、該底盤は大円形軌道と小円形軌道を具え、外周内側に複数の逆Ｌ形の係止ブロックを具え、
該ビーズ盤は、内円環と外円環が支持棒で接続されてなり、内円環と外円環のビーズ溝内にビーズが嵌め込まれ、該ビーズが底盤の円形軌道内に嵌入し且つ軌道内で回転し、
該回転盤は、盤上に内円環と外円環が設けられ、その内円環と外円環の底部に環形軌道が設けられてビーズに嵌合され、外周に環形の係止縁が設けられ、該係止縁が底盤の係止ブロック内に係止され、
該回転シートは、回転盤の上に置かれ、中心に穿孔を具え、
該二つの止滑シートは回転盤と固定シートを被覆し、
以上が組み合わされてなり、浴室の椅子の上に置かれ、力をかけずに行動に不自由のある人が左右に身体を回すのを補佐して身体を洗うのに供されることを特徴とする、浴室用３６０度回転シート。
【請求項２】
請求項１記載の浴室用３６０度回転シートにおいて、固定シートと回転シートに出水孔が設けられたことを特徴とする、浴室用３６０度回転シート。
【請求項３】
請求項１記載の浴室用３６０度回転シートにおいて、底盤に出水孔が設けられたことを特徴とする、浴室用３６０度回転シート。
【請求項４】
請求項１記載の浴室用３６０度回転シートにおいて、底盤の小円形軌道内に複数の位置制限ブロックが設けられたことを特徴とする、浴室用３６０度回転シート。
【考案の詳細な説明】
【技術分野】
【０００１】
本考案は浴室用３６０度回転シートに係り、特に浴室専用椅子に置かれ、行動に不自由のある人がシートに座って、身体を左右にねじることで回転させることができ、身体を洗うのに便利である、浴室用３６０度回転シートに関する。
【背景技術】
【０００２】
一般に、行動に不自由のある老人或いは病人が、身体を洗う時には家族や介護者の補助が必要である。伝統的な浴室内に置かれる椅子は、いずれも固定されて回転或いは移動不能とされ、家族或いは介護者にとっては行動に不自由のある人の身体を移動させるのに力が必要で且つ困難である。また、布製のカバーで被覆されたものもあるが、使用者が滑りやすく、行動に不自由のある人が転んで怪我をすることもある。
【考案の開示】
【考案が解決しようとする課題】
【０００３】
本考案は周知の製品の欠点を排除し、機能を増した浴室用３６０度回転シートを提供するものである。
【０００４】
ゆえに、本考案の主要な目的は、浴室用３６０度回転シートを提供することにあり、それは上回転シートと下固定シートの間に底盤、ビーズ盤及び回転盤で構成された回転装置が設けられ、行動に不自由のある人がシートの上に座り、身体を左右にねじるだけで回転させることができ、簡単に使用でき行動に不自由のある人が身体を洗うのを補助するのに力が要らないものとされる。
【０００５】
本考案のもう一つの目的は、浴室用３６０度回転シートを提供することにあり、それは上回転シートと下固定シートが防水止滑シートで被覆されて、シートの椅子上でのスライド或いは使用者のシート上でのスライドを防止し、且つ上下両面がいずれも使用でき、確実に使用の便利性が増され、簡単に力を入れずに使用できる便利性と使用の安全性を達成するものとされる。
【課題を解決するための手段】
【０００６】
請求項１の考案は、固定シート、底盤、ビーズ盤、回転盤、回転シート及び二つの止滑シートを具え、
該固定シートは中央に円形の凸塊と穿孔を具え、
該底盤は、その中心孔が固定シートの凸塊に嵌合されて位置決めされ、該底盤は大円形軌道と小円形軌道を具え、外周内側に複数の逆Ｌ形の係止ブロックを具え、
該ビーズ盤は、内円環と外円環が支持棒で接続されてなり、内円環と外円環のビーズ溝内にビーズが嵌め込まれ、該ビーズが底盤の円形軌道内に嵌入し且つ軌道内で回転し、
該回転盤は、盤上に内円環と外円環が設けられ、その内円環と外円環の底部に環形軌道が設けられてビーズに嵌合され、外周に環形の係止縁が設けられ、該係止縁が底盤の係止ブロック内に係止され、
該回転シートは、回転盤の上に置かれ、中心に穿孔を具え、
該二つの止滑シートは回転盤と固定シートを被覆し、
以上が組み合わされてなり、浴室の椅子の上に置かれ、力をかけずに行動に不自由のある人が左右に身体を回すのを補佐して身体を洗うのに供されることを特徴とする、浴室用３６０度回転シートとしている。
請求項２の考案は、請求項１記載の浴室用３６０度回転シートにおいて、固定シートと回転シートに出水孔が設けられたことを特徴とする、浴室用３６０度回転シートとしている。
請求項３の考案は、請求項１記載の浴室用３６０度回転シートにおいて、底盤に出水孔が設けられたことを特徴とする、浴室用３６０度回転シートとしている。
請求項４の考案は、請求項１記載の浴室用３６０度回転シートにおいて、底盤の小円形軌道内に複数の位置制限ブロックが設けられたことを特徴とする、浴室用３６０度回転シートとしている。
【考案の効果】
【０００７】
本考案は周知の製品の欠点を排除し、機能を増した浴室用３６０度回転シートを提供しており、それは、上回転シートと下固定シートの間に底盤、ビーズ盤及び回転盤で構成された回転装置が設けられ、行動に不自由のある人がシートの上に座り、身体を左右にねじるだけで回転させることができ、簡単に使用でき行動に不自由のある人が身体を洗うのを補助するのに力が要らず、また、上回転シートと下固定シートが防水止滑シートで被覆されて、シートの椅子上でのスライド或いは使用者のシート上でのスライドを防止し、且つ上下両面がいずれも使用でき、確実に使用の便利性が増され、簡単に力を入れずに使用できる便利性と使用の安全性を達成することができる。
【考案を実施するための最良の形態】
【０００８】
図１から図３に示されるように、本考案は固定シート１、底盤２、ビーズ盤３、回転盤４、回転シート５及び止滑シート６、７で構成されている。
【０００９】
そのうち、底部のプラスチック製の固定シート１は中央に円形の凸塊１１を具え、凸塊１１の中心に穿孔１２があり、固定シート１の周囲の内側部分に条形の一つ以上の出水孔１３が設けられている。円形の底盤２の中心孔２１は固定シート１の凸塊１１に嵌合されて位置決めされ、中心孔２１の周辺に小円形軌道２２が設けられ、その外側に大円形軌道２３が設けられ、小円形軌道２２の内側に複数の直立する位置制限ブロック２４が設けられ、大円形軌道２３の外側に逆Ｌ形の複数の係止ブロック２５が設けられ、該係止ブロック２５が底盤２の周縁内側を囲み、底盤２に複数の出水孔２６が設けられている。ステンレス製のビーズ盤３は内円環３１と外円環３２が支持棒３３で接続されてなる回転盤であり、内円環３１、外円環３２の複数のビーズ溝内にステンレスビーズ３４が嵌め込まれ、該ビーズ３４が底盤２の大円形軌道２３、小円形軌道２２内に嵌入し、且つ軌道２３、２２内で回転する。外形がビーズ盤３と類似する回転盤４にも内円環４１、外円環４２が設けられ、該内円環４１、外円環４２の底部に環形軌道４３が設けられてそれぞれビーズ３４の上に嵌合されている（図３）。回転盤４の外周には環形の係止縁４４が設けられ、該係止縁４４は底盤２の係止ブロック２５内に係止されて回転盤４の離脱が防止される。上端のプラスチック製の円形の回転シート５は回転盤４の上に置かれ、その中央に穿孔５１があり、両側に一つ以上の長い出水孔５２がある。ステンレス製のネジ８が、底端より固定シート１の中心孔１２及び回転シート５の穿孔５１に通され、上端のナット９で固定される。回転シート５及び固定シート１にそれぞれ防水の止滑シート６、７が嵌合され、該上下の止滑シート６、７は行動に不自由のある人がシート上に座る時の滑り止めのほか、シートの椅子上での滑り止めを形成する。
【００１０】
本考案のシートは浴室専用椅子の上に置かれ、使用者が身体を左右にねじる時に、回転シート５が回転盤４及びビーズ盤３の回転により回転し、こうして簡単に行動に不自由のある人を回転移動でき、身体を洗うのに便利である。
【００１１】
総合すると、本考案の浴室用３６０度回転シートは浴室専用のシートであり、行動に不自由のある人がこのシートの上に座り、身体を左右にねじるだけで、簡単に身体を回転することができ、簡単に力をいれずに家族或いは介護人が行動に不自由のある人の身体を洗うことができる。その実用効果は明らかであり、また本考案の構造はその出願前に頒布された刊行物に記載がなく、また公開使用されていないため、新規性を有している。
【図面の簡単な説明】
【００１２】
【図１】本考案の外観図である。
【図２】本考案の分解図である。
【図３】本考案の部分断面図である。
【符号の説明】
【００１３】
１  固定シート        １１  凸塊        １２  中心孔
１３  出水孔          ２  底盤          ２１  中心孔
２２、２３  軌道      ２４  位置制限ブロック    ２５  係止ブロック
２６  出水孔          ３  ビーズ盤              ３１  内円環
３２  外円環          ３３  支持棒              ３４  ビーズ
４  回転盤            ４１  内円環              ４２  外円環
４３  軌道            ４４  係止縁              ５  回転シート
５１  穿孔            ５２  出水孔              ６、７  止滑シート
８  ネジ              ９  ナット
【図１】
0003109449.tif 000003
【図２】
0003109449.tif 000004
【図３】
0003109449.tif 000005